(57)【要約】【課題】より簡単な構成で所定サイズのカード以外のカードの誤挿入を防止することができるカードソケットを提供すること。【解決手段】カード誤挿入防止部材５は固定部５１、ばね部５２、連結部５３及びストッパ部５４で構成される。固定部５１はハウジング３に固定されている。ばね部５２は固定部５１に連結され、所定サイズの厚さのＩＣカード２０によってカード挿入口３ａからカード収容空間３ｂの奥へ至るカード軌道３ｃから押し出され、所定サイズに達しない厚さのＩＣカード４０とは係合せずにカード軌道３ｃ上に保たれる。連結部５３は一対のばね部５２に連結されている。厚さ方向ストッパ部５４は連結部５３の両端部に連結され、ばね部５２がカード軌道３ｃから押し出されたときにカード軌道３ｃから外れて所定サイズの厚さのＩＣカード２０の進入を許容し、ばね部５２がカード軌道３ｃから押し出されないときにカードの軌道上に保たれて所定サイズに達しない厚さのＩＣカード４０の進入を阻止する。【選択図】　　　　図１
2004062500.tif 000002
【特許請求の範囲】
【請求項１】
カード挿入口とこのカード挿入口から挿入されたカードが収容されるカード収容空間とを有するハウジングと、
前記カードの厚さが所定サイズのときにそのカードを前記カード収容空間の奥まで受け容れ、前記カードの厚さが所定サイズに達しないときにそのカードを前記カード収容空間の奥まで受け容れないようにするカード誤挿入防止手段とを備え、
前記カード誤挿入防止手段が、
前記ハウジングに固定される固定部と、
この固定部に連結され、前記所定サイズの厚さのカードの一部を前記カード挿入口に挿入したときに弾性変形して、前記カード挿入口から前記カード収容空間の奥へ至るカード軌道から押し出され、前記所定サイズに達しない厚さのカードの一部を前記カード挿入口に挿入したときに弾性変形せずに前記カード軌道上に保たれるばね部と、
このばね部に連結され、前記ばね部が前記カード軌道から押し出されたときに前記カード軌道から外れて前記所定サイズの厚さのカードの進入を許容し、前記ばね部が前記カード軌道から押し出されないときに前記カードの軌道上に保たれて前記所定サイズに達しない厚さのカードの進入を阻止するストッパ部と
を有することを特徴とするカードソケット。
【請求項２】
カード挿入口とこのカード挿入口から挿入されたカードが収容されるカード収容空間とを有するハウジングと、
前記カードの幅が所定サイズのときにそのカードを前記カード収容空間の奥まで受け容れ、前記カードの幅が所定サイズに達しないときにそのカードを前記カード収容空間の奥まで受け容れないようにするカード誤挿入防止手段とを備え、
前記カード誤挿入防止手段が、
前記ハウジングに固定される固定部と、
この固定部に連結され、前記所定サイズの幅のカードの一部を前記カード挿入口に挿入したときに弾性変形して、前記カード挿入口から前記カード収容空間の奥へ至るカード軌道から押し出され、前記所定サイズに達しない幅のカードの一部を前記カード挿入口に挿入したときに弾性変形せずに前記カード軌道上に保たれるばね部と、
このばね部に連結され、前記ばね部が前記カード軌道から押し出されたときに前記カード軌道から外れて前記所定サイズの幅のカードの進入を許容し、前記ばね部が前記カード軌道から押し出されないときに前記カードの軌道上に保たれて前記所定サイズに達しない幅のカードの進入を阻止するストッパ部と
を有することを特徴とするカードソケット。
【請求項３】
カード挿入口とこのカード挿入口から挿入されたカードが収容されるカード収容空間とを有するハウジングと、
前記カードの厚さ及び幅が所定サイズのときにそのカードを前記カード収容空間の奥まで受け容れ、前記カードの厚さ又は幅が所定サイズに達しないときにそのカードを前記カード収容空間の奥まで受け容れないようにするカード誤挿入防止手段とを備え、
前記カード誤挿入防止手段が、
前記ハウジングに固定される固定部と、
この固定部に連結され、前記所定サイズのカードの一部を前記カード挿入口に挿入したときに弾性変形して、前記カード挿入口から前記カード収容空間の奥へ至るカード軌道から押し出され、前記所定サイズに達しない厚さ又は幅のカードの一部を前記カード挿入口に挿入したときに弾性変形せずに前記カード軌道上に保たれるばね部と、
このばね部に連結され、前記ばね部が前記カード軌道から押し出されたときに前記カード軌道から外れて前記所定サイズのカードの進入を許容し、前記ばね部が前記カード軌道から押し出されないときに前記カードの軌道上に保たれて前記所定サイズに達しない厚さ又は幅のカードの進入を阻止するストッパ部と
を有することを特徴とするカードソケット。
【発明の詳細な説明】
【０００１】
【発明の属する技術分野】
この発明はＩＣカード、磁気カード等のカードを挿抜可能なカードソケットに関し、特に所定サイズ以外のカードの挿入を阻止することが可能なカードソケットに関する。
【０００２】
【従来の技術】
カードソケットは例えばＩＣカードを電子機器に接続するカード用コネクタ、磁気カードリードライト装置の部品等として用いられる。
【０００３】
従来のカードソケットはハウジングとカード誤挿入防止手段とを備えている。
【０００４】
ハウジングはカード挿入口とこのカード挿入口から挿入されたカードが収容されるカード収容空間とを有する。
【０００５】
カード誤挿入防止手段はカードの厚さが所定サイズのときにそのカードをカード収容空間の奥まで受け容れ、カードの厚さが所定サイズに達しないときにそのカードをカード収容空間の奥まで受け容れないようにする機構である。
【０００６】
カード誤挿入防止手段は複数の部材で構成され、所定サイズに達しないカードの挿入を阻止する（例えば、特開平９−３５０２１号公報参照）。
【０００７】
【発明が解決しようとする課題】
上記公報のものでは、カード誤挿入防止手段は検知片及び押圧片を有する検知レバーと、当接片及びシャッタ片を有するシャッターレバーとで構成されている。
【０００８】
この例では、所定サイズの厚さのＩＣカードがカード挿入口から挿入されてその先端が検知レバーの検知片を通過すると検知レバーが所定角度以上回動し、その押圧片がシャッターレバーの当接片を押圧して、シャッターレバーのシャッタ片をカード通路から退出させ、ＩＣカードをカード収容部へ進入させる。また、所定サイズよりも薄い挿入物が挿入されたときには検知レバーの押圧片はシャッターの当接片に当接せず、そのシャッタ片はカード通路内に進入していて挿入物のカード収容部への進入を阻止する。
【０００９】
このように従来のカードソケットのカード誤挿入防止手段の構成は複雑であるので、誤動作を起こす虞があり、故障し易く、コストも高いといった問題がある。
【００１０】
この発明はこのような事情に鑑みてなされたもので、その課題はより簡単な構成で所定サイズに達しないカードの誤挿入を防止することができるカードソケットを提供することである。
【００１１】
【課題を解決するための手段】
前述の課題を解決するため請求項１の発明のカードソケットは、カード挿入口とこのカード挿入口から挿入されたカードが収容されるカード収容空間とを有するハウジングと、前記カードの厚さが所定サイズのときにそのカードを前記カード収容空間の奥まで受け容れ、前記カードの厚さが所定サイズに達しないときにそのカードを前記カード収容空間の奥まで受け容れないようにするカード誤挿入防止手段とを備え、前記カード誤挿入防止手段が、前記ハウジングに固定される固定部と、この固定部に連結され、前記所定サイズの厚さのカードの一部を前記カード挿入口に挿入したときに弾性変形して、前記カード挿入口から前記カード収容空間の奥へ至るカード軌道から押し出され、前記所定サイズに達しない厚さのカードの一部を前記カード挿入口に挿入したときに弾性変形せずに前記カード軌道上に保たれるばね部と、このばね部に連結され、前記ばね部が前記カード軌道から押し出されたときに前記カード軌道から外れて前記所定サイズの厚さのカードの進入を許容し、前記ばね部が前記カード軌道から押し出されないときに前記カードの軌道上に保たれて前記所定サイズに達しない厚さのカードの進入を阻止するストッパ部とを有することを特徴とする。
【００１２】
上述のようにカード誤挿入防止手段が、固定部と、この固定部に連結されたばね部と、このばね部に連結されたストッパ部とを有し、これらが互いに一体的に連結されているので、カード誤挿入防止手段の構成が簡素である。
【００１３】
請求項２の発明のカードソケットは、カード挿入口とこのカード挿入口から挿入されたカードが収容されるカード収容空間とを有するハウジングと、前記カードの幅が所定サイズのときにそのカードを前記カード収容空間の奥まで受け容れ、前記カードの幅が所定サイズに達しないときにそのカードを前記カード収容空間の奥まで受け容れないようにするカード誤挿入防止手段とを備え、前記カード誤挿入防止手段が、前記ハウジングに固定される固定部と、この固定部に連結され、前記所定サイズの幅のカードの一部を前記カード挿入口に挿入したときに弾性変形して、前記カード挿入口から前記カード収容空間の奥へ至るカード軌道から押し出され、前記所定サイズに達しない幅のカードの一部を前記カード挿入口に挿入したときに弾性変形せずに前記カード軌道上に保たれるばね部と、このばね部に連結され、前記ばね部が前記カード軌道から押し出されたときに前記カード軌道から外れて前記所定サイズの幅のカードの進入を許容し、前記ばね部が前記カード軌道から押し出されないときに前記カードの軌道上に保たれて前記所定サイズに達しない幅のカードの進入を阻止するストッパ部とを有することを特徴とする。
【００１４】
上述のようにカード誤挿入防止手段が、固定部と、この固定部に連結されたばね部と、このばね部に連結されたストッパ部とを有し、これらが互いに一体的に連結されているので、カード誤挿入防止手段の構成が簡素である。
【００１５】
請求項３の発明のカードソケットは、カード挿入口とこのカード挿入口から挿入されたカードが収容されるカード収容空間とを有するハウジングと、前記カードの厚さ及び幅が所定サイズのときにそのカードを前記カード収容空間の奥まで受け容れ、前記カードの厚さ又は幅が所定サイズに達しないときにそのカードを前記カード収容空間の奥まで受け容れないようにするカード誤挿入防止手段とを備え、前記カード誤挿入防止手段が、前記ハウジングに固定される固定部と、この固定部に連結され、前記所定サイズのカードの一部を前記カード挿入口に挿入したときに弾性変形して、前記カード挿入口から前記カード収容空間の奥へ至るカード軌道から押し出され、前記所定サイズに達しない厚さ又は幅のカードの一部を前記カード挿入口に挿入したときに弾性変形せずに前記カード軌道上に保たれるばね部と、このばね部に連結され、前記ばね部が前記カード軌道から押し出されたときに前記カード軌道から外れて前記所定サイズのカードの進入を許容し、前記ばね部が前記カード軌道から押し出されないときに前記カードの軌道上に保たれて前記所定サイズに達しない厚さ又は幅のカードの進入を阻止するストッパ部とを有することを特徴とする。
【００１６】
上述のようにカード誤挿入防止手段が、固定部と、この固定部に連結されたばね部と、このばね部に連結されたストッパ部とを有し、これらが互いに一体的に連結されているので、カード誤挿入防止手段の構成が簡素である。
【００１７】
【発明の実施の形態】
以下、この発明の実施の形態を図面に基づいて説明する。
【００１８】
図１はこの発明の第１実施形態に係るカード用コネクタのカバーを外した状態の斜視図、図２は図１に示すカード用コネクタのカバーを外した状態の平面図、図３は図１に示すカード用コネクタの斜視図、図４は図１に示すカード用コネクタに所定サイズのＩＣカードを挿入した状態の斜視図、図５は所定サイズのＩＣカードを挿入した状態での図２のＡ−Ａ線に沿う断面図、図６は図１に示すカード用コネクタに所定サイズのＩＣカードを挿入した状態の正面図、図７は厚さが所定サイズに達しないＩＣカードを挿入した状態での図２のＡ−Ａ線に沿う断面図、図８は図１に示すカード用コネクタに厚さが所定サイズに達しないＩＣカードを挿入した状態の正面図である。
【００１９】
このカード用コネクタ（カードソケット）はハウジング３とカード誤挿入防止部材（カード誤挿入防止手段）５とを備えている。
【００２０】
ハウジング３はハウジング本体３０とカバー３７とからなる。ハウジング本体３０は底面部３１と側面部３２，３３と背面部３４とを有する。底面部３１は矩形の板状であり、一対の保持孔３１ａと１つの誤挿入防止部材挿通孔３１ｂと複数のコンタクト挿通孔３１ｅとを有する。一対の保持孔３１ａはそれぞれ底面部３１の前端面に形成され、側面部３２，３３の長さ方向へ延びている。誤挿入防止部材挿通孔３１ｂは底面部３の前部に形成され、一対のばね部挿通部３１ｃと連結部挿通部３１ｄとを有している。一対のばね部挿通部３１ｃはそれぞれ保持孔３１ａに通じ、側面部３２，３３の長さ方向へ延びている。連結部挿通部３１ｄは側面部３２，３３の長さ方向に直交する方向へ延び、一対のばね部挿通部３１ｃに通じている。
【００２１】
側面部３２，３３ほぼ角柱状であり、それぞれ底面部３１の側縁に連結されている。側面部３２，３３はキー３２ａ，３３ａを有する。キー３２ａ，３３ａは連結部挿通部３１ｄによって分断されている。
【００２２】
背面部３４は板状であり、底面部３１の後縁に連結されている。この背面部３４に複数のコンタクト９が固定されている。複数のコンタクト９はそれぞれコンタクトコンタクト挿通孔３１ｅの上方に位置している。
【００２３】
カバー３７がハウジング本体３０を覆うように装着されることにより、ハウジング本体３０とカバー３７との間にカード挿入口３ａ及びカード収容空間３ｂが形成される（図３，５，７参照）。
【００２４】
カード誤挿入防止部材５は弾性を有する１枚の金属板を打抜き、プレスすることにより形成される。カード誤挿入防止部材５は一対の固定部５１と一対のばね部５２と１つの連結部５３と一対の厚さ方向ストッパ部５４とを有している。一対の固定部５１はそれぞれ短冊状であり、保持孔３１ａに挿入され保持されている。一対のばね部５２はそれぞれ短冊状であり、固定部５１に連結され、側面部３２，３３の長さ方向へ延び、ばね部挿通部３１ｃを挿通している。連結部５３は短冊状であり、側面部３２，３３の長さ方向と直交する方向へ延び、一対のばね部５２に連結されている。連結部５３はばね部５２が弾性変形していないとき、連結部挿通部３１ｄの上方に位置している。一対の厚さ方向ストッパ部５４は連結部５３の両端部に連結され、側面部３２，３３の高さ方向へ延びている。上述のようにカード誤挿入防止部材５は固定部５１、ばね部５２、連結部５３及びストッパ部５４を互いに一体的に連結してなる簡素の構成を有する。
【００２５】
次に、この実施形態のカード用コネクタの動作について説明する。
【００２６】
図５，６に示すように、所定サイズのＩＣカード２０の一端部をカード挿入口３ａに挿入すると、ばね部５２がＩＣカード２０の底面２２によって下方へ押圧され、所定量弾性変形する。これにより、ばね部５２はカード挿入口３ａからカード収容空間３ｂの奥へ至るＩＣカード２０のカード軌道３ｃ（ＩＣカード２０がカード収容空間３ｂに収容されるときにＩＣカード２０の先端面が描く軌跡）から押し出される。このようにばね部５２がカード軌道３ｃから押し出されると、連結部５３もカード軌道３ｃから押し出されて連結部挿通部３１ｄに入り、更に厚さ方向ストッパ部５４もカード軌道３ｃから押し出されて切欠き２１内に入る。その結果、厚さ方向ストッパ部５４はＩＣカード２０に接触せず、ＩＣカード２０の進入を阻止できないので、ＩＣカード２０はカード収容空間３ｂの奥まで挿入される。
【００２７】
なお、ＩＣカード２０を裏返しの状態でカード挿入口３ａに挿入しようとすると、キー３２ａ，３３ａがＩＣカード２０の先端面に突き当たり、ＩＣカード２０の進入を阻止する。
【００２８】
図７，８に示すように、所定サイズに達しない厚さのＩＣカード４０の一端部をカード挿入口３ａに挿入すると、ばね部５２がＩＣカード４０の底面４２に接触しない。したがって、ばね部５２は弾性変形せずにカード軌道３ｃ上に留まり、厚さ方向ストッパ部５４もカード軌道３ｃ上に留まる。このため、ＩＣカード４０をカード収容空間３ｂの奥のほうへ挿入しようとすると、厚さ方向ストッパ部５４はＩＣカード４０の先端面に接触し、それ以上のＩＣカード４０の進入が阻止される。
【００２９】
次に、この実施形態のカード用コネクタの効果について説明する。
【００３０】
このカード用コネクタによれば、カード誤挿入防止部材５の構成を複雑にせずに、所定サイズに達しない厚さのＩＣカード４０の誤挿入を防止することができる。
【００３１】
図９はこの発明の第２実施形態に係るカード用コネクタのカバーを外した状態の斜視図、図１０は図９に示すカード用コネクタのばね部を弾性変形させた状態の斜視図、図１１は図９に示すカード用コネクタのカバーを外した状態の平面図、図１２は図９に示すカード用コネクタに所定サイズのＩＣカードを挿入した状態の斜視図、図１３は所定サイズのＩＣカードを挿入した状態での図１１に示すＢ−Ｂ線に沿う断面図、図１４は図９に示すカード用コネクタに所定サイズのＩＣカードを挿入した状態の正面図、図１５は図９に示すカード用コネクタに幅が所定サイズに達しないＩＣカードを挿入した状態の斜視図、図１６は幅が所定サイズに達しないＩＣカードを挿入した状態での図１１に示すＢ−Ｂ線に沿う断面図、図１７は図９に示すカード用コネクタに幅が所定サイズに達しないＩＣカードを挿入した状態の正面図である。
【００３２】
第２実施形態のカード用コネクタは一部を除いて第１実施形態のカード用コネクタと同じ構成であるので、同じ部分の説明を省略する。以下、第１実施形態と構成の異なる部分についてだけ説明する。
【００３３】
第１実施形態のカード用コネクタは厚さが所定サイズに達しないＩＣカード４０の誤挿入を防止するものであるが、第２実施形態のカード用コネクタは幅が所定サイズに達しないＩＣカード６０の誤挿入を防止するのものである。
【００３４】
ハウジング２０３のハウジング本体２３０の底面部２３１に形成された誤挿入防止部材挿通孔２３１ｂは一対のばね部挿通部２３１ｃとストッパ部挿通部２３１ｄとを有する。一対のばね部挿通部２３１ｃはそれぞれキー２３２ａ，２３３ａの分断された部分に形成され、ハウジング本体２３０の側面部２３２，２３３の長さ方向へ延びている。ストッパ部挿通部２３１ｄは側面部２３２，２３３の長さ方向と直交する方向へ延び、一対のばね挿通部２３１ｃに連結されている。
【００３５】
側面部２３２，２３３のキー２３２ａ，２３３ａの前端部にはそれぞれ保持孔２３２ｂ，２３３ｂが形成されている。
【００３６】
カード誤挿入防止部材２０５は一対の固定部２５１と一対のばね部２５２と１つの幅方向ストッパ部２５３とを有している。一対の固定部２５１はそれぞれ保持孔２３２ｂに挿入され保持されている。一対のばね部２５２はそれぞれ固定部２５１に連結され、側面部２３２，２３３の長さ方向へ延び、ばね部挿通部２３１ｃの上方に位置している。幅方向ストッパ部２５３は側面部２３２，２３３の長さ方向と直交する方向へ延び、一対のばね部２５２に連結されている。幅方向ストッパ部２５３はばね部２５２が弾性変形していないとき、ストッパ部挿通部２３１ｄの上方に位置している。
【００３７】
次に、この実施形態のカード用コネクタの動作について説明する。
【００３８】
図１２〜１４に示すように、所定サイズのＩＣカード２０の一端部をカード挿入口３ａに挿入すると、ばね部２５２がＩＣカード２０の両側部にある段差面２３によって下方へ押圧され、所定量弾性変形する。これにより、ばね部２５２はカード軌道３ｃから押し出されて切欠き２１内に入る。これに伴い幅方向ストッパ部２５３もカード軌道３ｃから押し出されてストッパ部挿通部２３１ｄ内に入る（図１０参照）。このため、幅方向ストッパ部２５３はＩＣカード２０に接触せずにＩＣカード２０の進入を阻止できないので、ＩＣカード２０はカード収容空間３ｂの奥まで挿入される。
【００３９】
図１５〜１７に示すように、所定サイズに達しない幅のＩＣカード６０の一端部をカード挿入口３ａに挿入すると、ばね部２５２がＩＣカード６０に接触しない。したがって、ばね部２５２は弾性変形せずにカード軌道３ｃ上に留まり、幅方向ストッパ部２５３もカード軌道３ｃ上に留まる。このため、ＩＣカード６０をカード収容空間３ｂの奥のほうへ挿入しようとすると、幅方向ストッパ部２５３はＩＣカード６０の先端面に接触し、それ以上のＩＣカード６０の進入が阻止される。
【００４０】
次に、この実施形態のカード用コネクタの効果について説明する。
【００４１】
このカード用コネクタによれば、カード誤挿入防止部材２０５の構成を複雑にせずに、所定サイズに達しない幅のＩＣカード６０の誤挿入を防止することができる。
【００４２】
図１８はこの発明の第３実施形態に係るカード用コネクタのカバーを外した状態の斜視図、図１９は図１８に示すカード用コネクタのカバーを外した状態の平面図、図２０は所定サイズのＩＣカードを挿入した状態での図１９に示すＣ−Ｃ線に沿う断面図、図２１は図１８に示すカード用コネクタに所定サイズのＩＣカードを挿入した状態の正面図、図２２は厚さが所定サイズに達しないＩＣカードを挿入した状態での図１９に示すＣ−Ｃ線に沿う断面図、図２３は図１８に示すカード用コネクタに厚さが所定サイズに達しないＩＣカードを挿入した状態の正面図、図２４は幅が所定サイズに達しないＩＣカードを挿入した状態での図１９に示すＣ−Ｃ線に沿う断面図、図２５は図１８に示すカード用コネクタに幅が所定サイズに達しないＩＣカードを挿入した状態の正面図である。
【００４３】
第３実施形態のカード用コネクタは一部を除いて第１実施形態のカード用コネクタと同じ構成であるので、同じ部分の説明を省略する。以下、第１実施形態と構成の異なる部分についてだけ説明する。
【００４４】
第１実施形態のカード用コネクタは厚さが所定サイズに達しないＩＣカード４０の誤挿入を防止するものであり、第２実施形態のカード用コネクタは幅が所定サイズに達しないＩＣカード６０の誤挿入を防止するのものであるが、第３実施形態のカード用コネクタは厚さが所定サイズに達しないＩＣカード４０や幅が所定サイズに達しないＩＣカード６０の誤挿入を防止するものである。
【００４５】
ハウジング３０３のハウジング本体３３０の底面部３３１に形成された一対の保持孔３３１ａは底面部３３１の両側部に位置している。
【００４６】
底面部３３１に形成された誤挿入防止部材挿通孔３３１ｂは一対のばね部挿通部３３１ｃとストッパ部挿通部３３１ｄとを有する。一対のばね部挿通部３３１ｃはそれぞれキー３２ａ，３３ａに隣接させて形成され、ハウジング本体３３０の側面部３２，３３の長さ方向へ延びている。ストッパ部挿通部３３１ｄは側面部３２，３３の長さ方向と直交する方向へ延び、一対のばね挿通部３３１ｃに連結されている。
【００４７】
カード誤挿入防止部材３０５は一対の固定部３５１と一対のばね部３５２と１つの幅方向ストッパ部３５３と一対の厚さ方向ストッパ部３５４とを有している。一対の固定部３５１はそれぞれ保持孔３３１ａに挿入され保持されている。一対のばね部３５２はそれぞれ固定部３５１に連結され、側面部３２，３３の長さ方向へ延び、ばね部挿通部３３１ｃを挿通している。幅方向ストッパ部３５３は側面部３２，３３の長さ方向と直交する方向へ延び、一対のばね部３５２に連結されている。幅方向ストッパ部３５３はばね部３５２が弾性変形していないとき、ストッパ部挿通部３３１ｄの上方に位置している。一対の厚さ方向ストッパ部３５４はそれぞれ幅方向ストッパ部３５３の端部に連設され、側面部３２，３３の高さ方向へ延びている。
【００４８】
次に、この実施形態のカード用コネクタの動作について説明する。
【００４９】
図２０，２１に示すように、所定サイズのＩＣカード２０の一端部をカード挿入口３ａに挿入すると、第１実施形態と同様の動作によりＩＣカード２０の進入が阻止されない。
【００５０】
図２２，２３に示すように、所定サイズに達しない厚さのＩＣカード４０の一端部をカード挿入口３ａに挿入すると、第１実施形態と同様にして厚さ方向ストッパ部３５４によりＩＣカード４０の進入が阻止される。
【００５１】
図２４，２５に示すように、所定サイズに達しない幅のＩＣカード６０の一端部をカード挿入口３ａに挿入すると、第２実施形態と同様にして幅方向ストッパ部３５３によりＩＣカード６０の進入が阻止される。
【００５２】
次に、この実施形態のカード用コネクタの効果について説明する。
【００５３】
このカード用コネクタによれば、カード誤挿入防止部材３０５の構成を複雑にせずに、所定サイズに達しない厚さのＩＣカード４０や所定サイズに達しない幅のＩＣカード６０の誤挿入を防止することができる。
【００５４】
なお、第１〜３実施形態はカード用コネクタであるが、この発明はカード用コネクタに限らず、ＩＣカード、磁気カード等のカードを挿抜可能なカードソケット一般に適用可能である。
【００５５】
【発明の効果】
以上説明したように請求項１の発明のカードソケットによれば、より簡単な構成で厚さが所定サイズに達しないカードの誤挿入を防止することができる。
【００５６】
請求項２の発明のカードソケットによれば、より簡単な構成で幅が所定サイズ達しないカードの誤挿入を防止することができる。
【００５７】
請求項３の発明のカードソケットによれば、より簡単な構成で厚さが所定サイズに達しないカード及び幅が所定サイズに満たないカードの誤挿入を防止することができる。
【図面の簡単な説明】
【図１】図１はこの発明の第１実施形態に係るカード用コネクタのカバーを外した状態の斜視図である。
【図２】図２は図１に示すカード用コネクタのカバーを外した状態の平面図である。
【図３】図３は図１に示すカード用コネクタの斜視図である。
【図４】図４は図１に示すカード用コネクタに所定サイズのＩＣカードを挿入した状態の斜視図である。
【図５】図５は所定サイズのＩＣカードを挿入した状態での図２のＡ−Ａ線に沿う断面図である。
【図６】図６は図１に示すカード用コネクタに所定サイズのＩＣカードを挿入した状態の正面図である。
【図７】図７は厚さが所定サイズに達しないＩＣカードを挿入した状態での図２のＡ−Ａ線に沿う断面図である。
【図８】図８は図１に示すカード用コネクタに厚さが所定サイズに達しないＩＣカードを挿入した状態の正面図である。
【図９】図９はこの発明の第２実施形態に係るカード用コネクタのカバーを外した状態の斜視図である。
【図１０】図１０は図９に示すカード用コネクタのばね部を弾性変形させた状態の斜視図である。
【図１１】図１１は図９に示すカード用コネクタのカバーを外した状態の平面図である。
【図１２】図１２は図９に示すカード用コネクタに所定サイズのＩＣカードを挿入した状態の斜視図である。
【図１３】図１３は所定サイズのＩＣカードを挿入した状態での図１１に示すＢ−Ｂ線に沿う断面図である。
【図１４】図１４は図９に示すカード用コネクタに所定サイズのＩＣカードを挿入した状態の正面図である。
【図１５】図１５は図９に示すカード用コネクタに幅が所定サイズに達しないＩＣカードを挿入した状態の斜視図である。
【図１６】図１６は幅が所定サイズに達しないＩＣカードを挿入した状態での図１１に示すＢ−Ｂ線に沿う断面図である。
【図１７】図１７は図９に示すカード用コネクタに幅が所定サイズに達しないＩＣカードを挿入した状態の正面図である。
【図１８】図１８はこの発明の第３実施形態に係るカード用コネクタのカバーを外した状態の斜視図である。
【図１９】図１９は図１８に示すカード用コネクタのカバーを外した状態の平面図である。
【図２０】図２０は所定サイズのＩＣカードを挿入した状態での図１９に示すＣ−Ｃ線に沿う断面図である。
【図２１】図２１は図１８に示すカード用コネクタに所定サイズのＩＣカードを挿入した状態の正面図である。
【図２２】図２２は厚さが所定サイズに達しないＩＣカードを挿入した状態での図１９に示すＣ−Ｃ線に沿う断面図である。
【図２３】図２３は図１８に示すカード用コネクタに厚さが所定サイズに達しないＩＣカードを挿入した状態の正面図である。
【図２４】図２４は幅が所定サイズに達しないＩＣカードを挿入した状態での図１９に示すＣ−Ｃ線に沿う断面図である。
【図２５】図２５は図１８に示すカード用コネクタに幅が所定サイズに達しないＩＣカードを挿入した状態の正面図である。
【符号の説明】
３，２０３，３０３　ハウジング
３ａ　カード挿入口
３ｂ　カード収容空間
５，２０５，３０５　カード誤挿入防止部材（カード誤挿入防止手段）
５１，２５１，３５１　固定部
５２，２５２，３５２　ばね部
５３　連結部
２５３　幅方向ストッパ部（ストッパ部）
５４，３５４　厚さ方向ストッパ部（ストッパ部）
２０，４０，６０　ＩＣカード（カード）
【図１】
2004062500.tif 000003
【図２】
2004062500.tif 000004
【図３】
2004062500.tif 000005
【図４】
2004062500.tif 000006
【図５】
2004062500.tif 000007
【図６】
2004062500.tif 000008
【図７】
2004062500.tif 000009
【図８】
2004062500.tif 000010
【図９】
2004062500.tif 000011
【図１０】
2004062500.tif 000012
【図１１】
2004062500.tif 000013
【図１２】
2004062500.tif 000014
【図１３】
2004062500.tif 000015
【図１４】
2004062500.tif 000016
【図１５】
2004062500.tif 000017
【図１６】
2004062500.tif 000018
【図１７】
2004062500.tif 000019
【図１８】
2004062500.tif 000020
【図１９】
2004062500.tif 000021
【図２０】
2004062500.tif 000022
【図２１】
2004062500.tif 000023
【図２２】
2004062500.tif 000024
【図２３】
2004062500.tif 000025
【図２４】
2004062500.tif 000026
【図２５】
2004062500.tif 000027